(57)【要約】本発明は、密閉力が向上したオーバキャップを備えた化粧品容器に関し、さらに詳細には、内容物が収容される容器本体と、前記容器本体内側に形成されて内容物を排出させる排出手段と、前記排出手段上部に結合されて一側に吐出口が形成されたアプリケータと、前記容器本体上部に結合されるオーバキャップとで構成され、前記オーバキャップは、内側に密閉部材が形成され、前記密閉部材の中心に密閉部が形成される構造を有することにより、前記オーバキャップを容器本体に向かって閉じる際、前記アプリケータは、密閉部材の密閉部にタイトに密着結合されてアプリケータの密閉力を向上させることができるようにした、密閉力が向上したオーバキャップを備えた化粧品容器に関する。
2020524036.tif 000002
【特許請求の範囲】
【請求項１】
内容物が収容される容器本体と、
前記容器本体に収容された内容物を排出させる排出手段と、
前記排出手段と隣接して形成され、吐出口が備えられたアプリケータ及び前記容器本体を開閉するオーバキャップを含み、
前記オーバキャップの内側には密閉部材が形成され、前記密閉部材には密閉部が形成されて、アプリケータが、前記密閉部にタイトに密着しながら挿入されることを特徴とする、
密閉力が向上したオーバキャップを備えた化粧品容器。
【請求項２】
前記容器本体の側面には、排出手段を作動させる押圧ボタンが形成されることを特徴とする、請求項１に記載の密閉力が向上したオーバキャップを備えた化粧品容器。
【請求項３】
前記アプリケータは、柔軟に撓みうるようにフレキシブルな材質で形成されることを特徴とする、請求項１に記載の密閉力が向上したオーバキャップを備えた化粧品容器。
【請求項４】
前記アプリケータは、容器本体の上部から分離可能に結合されることを特徴とする、請求項１に記載の密閉力が向上したオーバキャップを備えた化粧品容器。
【請求項５】
前記密閉部材の密閉部外側には拡張空間が形成され、オーバキャップの結合時に前記密閉部は、拡張空間によって外側に広がりながらアプリケータの外周面とタイトに密着することを特徴とする、
請求項１に記載の密閉力が向上したオーバキャップを備えた化粧品容器。
【請求項６】
前記密閉部材の密閉部の入口の両側面は、角を丸めた形態で形成されることを特徴とする、
請求項１に記載の密閉力が向上したオーバキャップを備えた化粧品容器。
【発明の詳細な説明】
【技術分野】
【０００１】
本発明は、密閉力が向上したオーバキャップを備えた化粧品容器に関し、さらに詳細には、内容物が収容される容器本体と、前記容器本体の内側に形成されて内容物を排出させる排出手段と、前記排出手段の上部に結合されて一側に吐出口が形成されたアプリケータと、前記容器本体の上部に結合されるオーバキャップとで構成されており、前記オーバキャップは、内側に密閉部材が形成され、前記密閉部材の中心に密閉部が形成される構造を有することにより、前記オーバキャップを容器本体に向かって閉じる際、前記アプリケータは、密閉部材の密閉部にタイトに密着結合されてアプリケータの密閉力を向上させることができるようにした、密閉力が向上したオーバキャップを備えた化粧品容器に関する。
【背景技術】
【０００２】
色調化粧品とは、容姿を美しく変化させて肌を美しく演出しようとする目的で使用されるものであって、肌色を均一にして欠点をカバーするために使用されるベースメイクアップと、唇、目、爪など部分的に立体感を高めるポイントメイクアップに区分されており、ベースメイクアップについては、メイクアップベース、ファンデーション、パウダー、コンシーラなどで構成されており、ポイントメイクアップについては、口紅、アイライナー、マスカラなどで構成されている。
【０００３】
上記挙げられた化粧品のうちファンデーションは、化粧料の形態に応じて、固形ファンデーション、液状ファンデーション、ゲル状ファンデーションに区分されるが、最近、相当な持続力があり、肌へ塗布する際に密着感に優れた、前記ゲル状ファンデーションを好む消費者が増えた。
【０００４】
これにより、ゲル状ファンデーションに対する容器の開発も必要になったのであるが、一般的には、ゲル状化粧料を化粧品容器やチューブ容器に充填し、使用時に使用者が、手の上に払い出すか、絞り出して、パフを利用して肌に塗布するという方式で使用された。
【０００５】
しかし、前記従来のゲル状化粧料を使用するためには、化粧道具を別途備えなければならないために、化粧道具を失くしてしまう可能性が高く、また、化粧道具を別途保管しなければならないために携帯性に劣るという問題点があった。
【０００６】
上記のような問題点を解決するために、図１のように韓国公開特許第１０−２０１６−００５３７００号が開示されたが、これは、内容物が収容される本体と、前記本体の上部に一体に形成され、一側に吐出口を備えたアプリケータと、前記アプリケータを包み込むようにして本体と結合されるオーバキャップとで構成された構造を有することにより、本体の内容物を絞り出すと同時に、アプリケータの吐出口から内容物が吐出されるものであり、アプリケータを便利に使用することができるようにしたものである。
【０００７】
一方、上記従来技術は、本体とオーバキャップを閉じた際に、本体の内容物を密閉すべく、前記オーバキャップの内側に形成された密閉棒が、前記アプリケータの吐出口に挿入されて前記吐出口を密閉する構造である。
【０００８】
しかし、前記従来技術は、オーバキャップの内側へと密閉棒が長く下側に延長されて形成されたものであって、前記密閉棒は、アプリケータの吐出口への挿入中に折れるおそれがあり、前記密閉棒は、オーバキャップの内側に形成されているために吐出口に正確に挿入し難いという問題点があった。
【発明の概要】
【発明が解決しようとする課題】
【０００９】
本発明は、上記のような問題点を解決するために案出されたものであり、内容物が収容される容器本体と、前記容器本体の内側に形成されて内容物を排出させる排出手段と、前記排出手段の上部に結合され、一側に吐出口が形成されたアプリケータと、前記容器本体の上部に結合されるオーバキャップとで構成されており、前記オーバキャップは、内側に密閉部材が形成され、前記密閉部材の中心に密閉部が形成される構造を有することにより、前記オーバキャップを容器本体に閉じる際、前記アプリケータは、密閉部材の密閉部にタイトに密着結合されてアプリケータの密閉力を向上させることができるようにした、密閉力が向上したオーバキャップを備えた化粧品容器を提供することに目的がある。
【００１０】
また、前記アプリケータを、フレキシブルな材質で形成し、分離が可能となるように結合して、前記アプリケータが汚れた際に、アプリケータを分離した後、新たなアプリケータを結合して使用することができることで、清潔なアプリケータを使用することができるようにした、密閉力が向上したオーバキャップを備えた化粧品容器を提供することに目的がある。
【課題を解決するための手段】
【００１１】
本発明は、内容物が収容される容器本体と、
前記容器本体に収容された内容物を排出させる排出手段と、
前記排出手段と隣接して形成され、吐出口が備えられたアプリケータと、
前記容器本体を開閉するオーバキャップをと含み、
前記オーバキャップの内側には、密閉部材が形成され、前記密閉部材には密閉部が形成されて、アプリケータが前記密閉部にタイトに密着しながら挿入されることを特徴とする、密閉力が向上したオーバキャップを備えた化粧品容器を提供する。
【００１２】
また、前記容器本体の側面には、排出手段を作動させる押圧ボタンが形成されることを特徴とする。
【００１３】
また、前記アプリケータは、柔軟に撓（たわ）みうるように、フレキシブルな材質で形成されることを特徴とする。
【００１４】
また、前記アプリケータは、容器本体の上部からの分離が可能に結合されうる。
【００１５】
また、前記密閉部材の密閉部外側には拡張空間が形成され、オーバキャップの結合時に前記密閉部は、拡張空間によって外側に広がりながらアプリケータの外周面とタイトに密着することを特徴とする。
【００１６】
前記密閉部材の密閉部の入口の両側面は、角を丸めた（ラウンド）形態に形成されることを特徴とする。
【発明の効果】
【００１７】
上記本発明に係る密閉力が向上したオーバキャップを備えた化粧品容器は、内容物が収容される容器本体と、前記容器本体の内側に形成されて内容物を排出させる排出手段と、前記排出手段の上部に結合されて一側に吐出口が形成されたアプリケータと、前記容器本体の上部に結合されるオーバキャップとで構成され、前記オーバキャップは、内側に密閉部材が形成され、前記密閉部材の中心に密閉部が形成される構造を有することにより、前記オーバキャップを容器本体に向かって閉じる際、前記アプリケータは、密閉部材の密閉部にタイトに密着結合されて、アプリケータの密閉力を向上させることができるようにした、密閉力が向上したオーバキャップを備えた化粧品容器を提供する効果がある。
【００１８】
また、前記アプリケータをフレキシブルな材質で形成し、分離が可能となるように結合し、前記アプリケータが汚れた際に、アプリケータを分離した後、新たなアプリケータを結合して使用することができることで、清潔なアプリケータを使用することができるようにした、密閉力が向上したオーバキャップを備えた化粧品容器を提供するという効果がある。
【図面の簡単な説明】
【００１９】
【図１】従来のフレキシブルアプリケータが備えられた容器である。
【図２】本発明に係る化粧品容器の斜視図である。
【図３】本発明に係る化粧品容器の分解斜視図である。
【図４】本発明に係る化粧品容器の断面図である。
【図５】本発明に係る化粧品容器の、オーバキャップを分離する様子を示す断面図である。
【図６】本発明に係る化粧品容器の、押圧ボタンを押して内容物を吐出させる様子を示す断面図である。
【図７】本発明に係る化粧品容器の、押圧ボタンの押圧を解除する様子を示す断面図である。
【図８】本発明に係る化粧品容器の、オーバキャップを結合する様子を示す断面図である。
【図９】本発明に係る化粧品容器の、密閉部材の内側に密閉突起が形成された様子を示す断面図である。
【図１０】本発明に係る化粧品容器の、アプリケータの両側面を押す様子を示す断面図である。
【図１１】本発明に係る化粧品容器の、アプリケータを分離する様子を示す断面図である。
【発明を実施するための形態】
【００２０】
本発明と本発明の実施によって達成される技術的課題は、次に説明する好ましい実施例によって明確になる。以下、添付の図面を参照して、本発明に係る密閉力が向上したオーバキャップを備えた化粧品容器の一実施例を、詳細に考察すると次の通りである。
【００２１】
図２は本発明に係る化粧品容器の斜視図であり、図３は本発明に係る化粧品容器の分解斜視図であり、図４は本発明に係る化粧品容器の断面図であり、図５は本発明に係る化粧品容器のオーバキャップを分離する様子を示す断面図であり、図６は本発明に係る化粧品容器の押圧ボタンを押して内容物を吐出させる様子を示す断面図であり、図７は本発明に係る化粧品容器の押圧ボタンの押圧を解除する様子を示す断面図であり、図８は本発明に係る化粧品容器のオーバキャップを結合する様子を示す断面図である。
【００２２】
本発明の一実施例に係る密閉力が向上したオーバキャップを備えた化粧品容器は、内容物が収容される容器本体１０と、前記容器本体１０に収容された内容物を排出させる排出手段２０と、前記排出手段２０と隣接して形成され、吐出口３２が備えられたアプリケータ３０と、前記容器本体１０を開閉するオーバキャップ４０とを含み、前記オーバキャップ４０の内側には密閉部材５０が形成され、前記密閉部材５０には密閉部５２が形成されて、アプリケータ３０が前記密閉部５２にタイトに密着しながら挿入されることを特徴とする。
【００２３】
前記容器本体１０の上部には開口部１１が形成され、前記開口部１１の外周縁にはネジ山が形成される。
【００２４】
前記容器本体１０は、図４のように硬質の材質からなる外容器１２と、前記外容器１２の内側に形成されて軟質の材質からなる内容器１４からなる。
【００２５】
前記外容器１２には、外部空気が流入されうる空気流入孔１２２が形成され、前記の内容器１４の内部には、内容物が充填される。前記内容器１４は、図７のように内部に充填された内容物が消尽するにつれ、消尽した内容物の量だけ、へしゃげるようになる。
【００２６】
前記排出手段２０は、図４のように容器本体１０の開口部１１に設置されて、前記容器本体１０に収容された内容物を排出させる。
【００２７】
前記排出手段２０は、容器本体１０に収容された内容物をポンピングするエアレスポンプとして形成されることが好ましい。
【００２８】
前記排出手段２０は、容器本体１０の開口部１１に挿入されて内容物吸入口２１ａが形成されたシリンダ２１と、前記シリンダ２１の底面に設置されて内容物吸入口２１ａを開閉する吸入バルブ板２２と、前記シリンダ２１の上部に結合される密閉部材２３と、前記密閉部材２３の上部側にて上下移動する上下移動部材２４と、前記上下移動部材２４を弾力支持する弾性部材２５と、前記上下移動部材２４に結合されてシリンダ２１の内側にて上下移動部材２４とともに上下移動する作動吐出管２６と、前記作動吐出管２６の外側に挿入されて前記シリンダ２１の内周縁に密着する作動吐出リング２７と、上下移動部材２４の上部に結合されるとともに、排出手段フレーム６０の貫通穴６１を貫通する押圧部材２８とで構成される。
【００２９】
前記押圧部材２８は、押圧ボタン７０によって昇降がなされることで前記上下移動部材２４を押圧する。前記押圧部材２８は、図３のように、外周縁に第２斜線押圧部２８２が形成されて、押圧ボタン７０の第１斜線押圧部７８と密着する。
【００３０】
前記容器本体１０の上側には排出手段フレーム６０が形成され、前記排出手段フレーム６０の内側には、排出手段２０が設置される。
【００３１】
前記排出手段フレーム６０の下部には第１下部延長片６２が下側へと延長形成され、前記第１下部延長片６２の内側には、一定の間隔だけ離隔されて第２下部延長片６４が下側へと延長形成される。
【００３２】
前記第２下部延長片６４の内周面にはネジ山が形成され、容器本体１０の開口部１１に形成されたネジ山とネジ結合される。勿論、ネジ結合以外に、アンダーカット結合または強制嵌め込みで結合されるなど、多様な方式で結合されることもありうる。
【００３３】
前記排出手段フレーム６０における第１下部延長片６２の上部には、第１上部延長片６６が上側へと延長形成され、前記第１上部延長片６６の内側には一定の間隔だけ離隔されて第２上部延長片６８が上側へと延長形成される。
【００３４】
前記第１上部延長片６６の外周面には、オーバキャップ４０と結合される締結突起６６２が形成され、内周面には、第１アンダーカット６６４が形成される。
【００３５】
前記第２上部延長片６８の内側には、図４のように段部６８２が形成され、排出手段２０のシリンダ２１を押して固定させる。
【００３６】
前記第１上部延長片６６と第２上部延長片６８との間には、図３のように挿入リブ６７が形成される。
【００３７】
前記排出手段フレーム６０の中央には、排出手段２０の押圧部材２８が貫通される貫通穴６１が形成される。
【００３８】
前記排出手段フレーム６０の上方には上部キャップ８０が形成されるが、前記上部キャップ８０は、図４のように、排出手段フレーム６０の上部と排出手段２０とを包み込むようにして排出手段フレーム６０に結合される。
【００３９】
前記上部キャップ８０は、内キャップ８２と、前記内キャップ８２の外側を包み込む外キャップ８４とで構成される。
【００４０】
前記内キャップ８２の上部中央には、吐出孔８２２が形成され、排出手段２０によってポンピングされた内容物が、前記吐出孔８２２を通じてアプリケータ３０の吐出流路３４に流入される。
【００４１】
前記内キャップ８２の吐出孔８２２外側には、アプリケータ３０の下端が着座される着座溝８２３が形成される。
【００４２】
前記内キャップ８２の側面には、第２ボタン挿入穴８２４が形成されて、押圧ボタン７０が貫通される。
【００４３】
前記内キャップ８２の下端には、リブ挿入凹部８２７が形成されて、排出手段フレーム６０の挿入リブ６７が挿入される。
【００４４】
前記外キャップ８４の下側は、排出手段フレーム６０の上部に結合され、上側はアプリケータ３０と結合される。
【００４５】
前記外キャップ８４の上部には、アプリケータ貫通穴８４２が形成されてアプリケータ３０が貫通され、前記アプリケータ貫通穴８４２の外側には、嵌合部８４６が形成されてアプリケータ３０の嵌合凹部３６に挿入される。
【００４６】
前記外キャップ８４の側面には、第１ボタン挿入穴８４４が形成されて押圧ボタン７０が貫通される。
【００４７】
本発明では前記外キャップ８４が排出手段フレーム６０の上部にアンダーカット結合されるものを示したが、アンダーカット以外にも、ネジ結合、または強制嵌め込み結合、または超音波接合など、多様な方式で結合されうる。
【００４８】
前記上部キャップ８０の側面には、排出手段２０を作動させる押圧ボタン７０がさらに形成される。
【００４９】
前記押圧ボタン７０は、水平に前後へと移動する際に排出手段２０を押圧することとなり、外キャップ８４の第１ボタン挿入穴８４４と、内キャップ８２の第１ボタン挿入穴８２４とを貫通して、結合される。
【００５０】
前記押圧ボタン７０には、第１斜線押圧部７８が形成されて排出手段２０の第２斜線押圧部２８２と密着する。即ち、図６のように使用者が押圧ボタン７０を側面から押すと、前記押圧ボタン７０が内キャップ８２及び外キャップ８４の内側へと移動する際に、前記押圧ボタン７０の第１斜線押圧部７８が、排出手段２０の第２斜線押圧部２８２を内側から押すようになる。ところが、ここで、前記排出手段２０は、垂直に移動するだけであって、水平には固定されているため、第２斜線押圧部２８２が、第１斜線押圧部７８によって下側に押されることで移動して、排出ポンプ２０が押圧される。
【００５１】
前記アプリケータ３０は、排出手段２０と隣接して形成され、前記排出手段２０によって排出された内容物を、肌に塗布するのに使用される。
【００５２】
前記アプリケータ３０には、排出手段２０によってポンピングされた内容物を外部に吐出させる吐出口３２が形成され、前記吐出口３２は、図３のようにアプリケータ３０の一側面に形成される。
【００５３】
前記アプリケータ３０の内部には、図４のように吐出流路３４が形成されるのであるが、前記吐出流路３４は、排出手段２０と連結されて、内容物を吐出口３２に移動させる役割をする。
【００５４】
前記アプリケータ３０の下部外周面には、嵌合凹部３６が形成されて外キャップ８４の嵌合部８４６が挿入される。
【００５５】
前記アプリケータ３０は、内容物を肌に広く伸ばして塗ることができるように、図２のように狭幅の直方体として形成されることが好ましい。
【００５６】
前記アプリケータ３０は、柔軟に撓（たわ）むことができるようにフレキシブルな材質で形成され、特にシリコーン（ｓｉｌｉｃｏｎｅ）、ウレタンゴム（ｕｒｅｔｈａｎｅ  ｒｕｂｂｅｒ）、天然ゴム（ｎａｔｕｒａｌ  ｒｕｂｂｅｒ）、エラストマー（ｅｌａｓｔｏｍｅｒ）、ＮＢＲ（ｎｉｔｒｉｌｅ−ｂｕｔａｄｉｅｎｅ  ｒｕｂｂｅｒ）のうちの一つ以上の材質、または、ＡＢＳ（Ａｃｒｙｌｏｎｉｔｒｉｌｅ  Ｂｕｔａｄｉｅｎｅ  Ｓｔｙｒｅｎｅ）またはＴＰＥ（Ｔｈｅｒｍｏ  Ｐｌａｓｔｉｃ  Ｅｌａｓｔｏｍｅｒ：熱可塑性エラストマー）材質で形成されることが好ましい。
【００５７】
図１０は、本発明に係る化粧品容器におけるアプリケータの両側の面を押す様子を示す断面図であり、図１１は、本発明に係る化粧品容器におけるアプリケータを分離する様子を示す断面図である。
【００５８】
前記アプリケータ３０は、図１０及び図１１のように、上部キャップ８０から分離可能に結合されうる。
【００５９】
即ち、前記アプリケータ３０を交換しようとする場合、図１０のように、指でアプリケータ３０の両側の面を押しながらつかみ、図１１のように、前記アプリケータ３０を強制的に引き抜いて外キャップ８４からアプリケータ３０を分離する。この後、新たなアプリケータ３０の両側面を押しながらつかみ、このアプリケータ３０を、外キャップ８４のアプリケータ貫通穴８４２に強制的に挿入することで、アプリケータ３０の嵌合凹部３６に、外キャップ８４の嵌合部８４６が挿入されるとともに、アプリケータ３０の下端が、内キャップ８２の着座凹部８２３に着座されるようにする。
【００６０】
前記オーバキャップ４０は、図５及び図８のように、容器本体１０の上部に着脱されることで、前記アプリケータ３０を外部に露出させたり、隠したりすることとなる。
【００６１】
前記オーバキャップ４０の内周縁には締結凹部４２が形成され、排出手段フレーム６０の締結突起６６２と結合される。
【００６２】
前記密閉部材５０は、オーバキャップ４０の内側に形成されて、容器本体１０を密閉させる。
【００６３】
前記密閉部材５０の下側の中央には、密閉部５２が形成され、前記密閉部５２は、アプリケータ３０に対応する凹部として形成される。
【００６４】
前記密閉部材５０の密閉部５２の入口の両側面は、図８のように、アプリケータ３０が容易に挿入されうるように、角が丸められた（ラウンド）形態に形成されることが好ましい。
【００６５】
前記密閉部材５０の密閉部５２の外側には、拡張空間５４が形成される。
【００６６】
前記密閉部材５０は、軟質の材質で形成され、特に弾性を有するポリプロピレン（ｐｏｌｙｐｒｏｐｙｌｅｎｅ）またはポリエチレン（ｐｏｌｙｅｔｈｙｌｅｎｅ）の材質で形成されることが好ましい。
【００６７】
図８のように、オーバキャップ４０が容器本体１０の上部に結合される際、前記密閉部材５０の密閉部５２の内側には、フレキシブルな材質のアプリケータ３０がタイトに密着しながら挿入されるが、この際、前記密閉部材５０の密閉部５２は、拡張空間５４によって外側に広がりながら、アプリケータ３０の外周面とタイトに密着する。これにより容器本体１０の密閉力が、より向上する。
【００６８】
図９は、本発明に係る化粧品容器の密閉部材の内側に、密閉突起が形成された状態を示す断面図である。
【００６９】
前記密閉部材５０の密閉部５２には、密閉突起５２２が内側に突出形成されうるが、前記密閉突起５２２は、図９のように、オーバキャップ４０が容器本体１０の上部に結合された際、アプリケータ３０の吐出口３２に挿入されて、容器本体１０の密閉力をより増大させる。
【００７０】
上記のように構成された、密閉力が向上したオーバキャップを備えた化粧品容器の組立方法を説明すると、次の通りである。
【００７１】
本発明に係る密閉力が向上したオーバキャップを備えた化粧品容器を組み立てるためには、図３と図４のように、容器本体１０の内部に内容物を充填する。
【００７２】
次に、前記容器本体１０の開口部１１に、シリンダ２１と、吸入バルブ板２２と、密閉部材２３と、上下移動部材２４と、弾性部材２５と、作動吐出管２６と、作動吐出リング２７と、押圧部材２８とで構成された排出手段２０を設置する。
【００７３】
次に、前記容器本体１０の開口部１１に、排出手段フレーム６０をネジ結合し、前記排出手段２０の押圧部材２８が、排出手段フレーム６０の貫通穴６１を貫通するようにする。
【００７４】
その後、前記排出手段フレーム６０の上部に、内キャップ８２と外キャップ８４からなる上部キャップ８０を結合するのであるが、前記上部キャップ８０が、排出手段フレーム６０の上部と、排出手段２０とを包み込むようにして結合する。
【００７５】
次に、前記外キャップ８４の第１ボタン挿入穴８４４と、内キャップ８２の第２ボタン挿入穴８２４に、押圧ボタン７０を結合し、前記押圧ボタン７０の第１斜線押圧部７８が、排出手段２０の第２斜線押圧部２８２と密着するようにする。
【００７６】
次に、前記外キャップ８４のアプリケータ貫通穴８４２に、アプリケータ３０の下部を貫通させることで、前記外キャップ８４の嵌合部８４６が、アプリケータ３０の嵌合凹部３６に挿入されるとともに、前記アプリケータ３０の下端部が、内キャップ８２の着座凹部８２３に着座されるようにする。
【００７７】
最後に、前記排出手段フレーム６０の上部にオーバキャップ４０を締結するのであるが、前記オーバキャップ４０の内側には、密閉部材５０が結合されている状態である。
【００７８】
これにより、本発明に係る密閉力が向上したオーバキャップを備えた化粧品容器の組立を完了する。
【００７９】
上記のような方法で組み立てられた、密閉力が向上したオーバキャップを備えた化粧品容器の使用は、次の通りである。
【００８０】
本発明に係る密閉力が向上したオーバキャップを備えた化粧品容器を使用するためには、まず図５のように、容器本体１０からオーバキャップ４０を分離する。
【００８１】
その後、図６のように、押圧ボタン７０を側面から押すと、前記押圧ボタン７０が上部キャップ８０の内側へと移動するとともに、前記押圧ボタン７０の第１斜線押圧部７８が、押圧部材２８の第２斜線押圧部２８２を押して、前記押圧部材２８を下側に移動させる。
【００８２】
上記の通り押圧部材２８が下側に移動すると、前記押圧部材２８の下部に結合された上下移動部材２４、及び、前記上下移動部材２４の下部に結合された作動吐出管２６も、ともに下側に移動するのであり、この際、前記作動吐出管２６の外側に挿入された作動吐出リング２７は、シリンダ２１の内側面に密着しているため、前記作動吐出管２６だけが下側に移動することで、作動吐出管２６と作動吐出リング２７との間に隙間が発生して、内容物が排出される通路が生じる。
【００８３】
その後、継続して上下移動部材２４が押されると、作動吐出リング２７が、上下移動部材２４の下端に触れて、作動吐出管２６とともに下側に移動するとともにシリンダ２１内部の体積が減って行くのであり、これにより、前記シリンダ２１内に吐出圧力が生じて、吸入バルブ板２２が内容物吸入口２１ａを閉鎖させるとともに、シリンダ２１内の臨時保存空間に収容されていた内容物が、作動吐出管２６と作動吐出リング２７との間に出て来て、前記作動吐出管２６の内部を通過した後、内キャップ８２の吐出孔８２２と、アプリケータ３０の吐出流路３４と、吐出口３２とを経て、外部に吐出される。
【００８４】
前記押圧ボタン７０の押圧を解除すると、図７のように、上下移動部材２４を弾力支持する弾性部材２５の弾性によって、上下移動部材２４が上側に移動し、前記上下移動部材２４の下部に結合されている作動吐出管２６が上側に移動することとなるのであるが、この際、前記作動吐出管２６の下端の外側に形成された拡張突輪２６２が、作動吐出リング２７を上に引き上げることによって、作動吐出管２６と作動吐出リング２７との間の隙間が詰まって行くことで、前記作動吐出管２６と作動吐出リング２７が、ともに上側へと移動することとなり、これにより、シリンダ２１内部の体積が大きくなり、真空圧が発生することとなる。
【００８５】
その後、前記シリンダ２１の内部に発生した真空圧によって、吸入バルブ板２２が、シリンダ２１の底面に形成された内容物吸入口２１ａを開放するのであり、これにより、容器本体１０の内容器１４に収容されていた内容物が、前記内容物吸入口２１ａを通じて、シリンダ２１の内部に流入されて行くことで、前記軟質の内容器１４がへしゃげることとなるのであり、これとともに、容器本体１０の外容器１２に形成された空気流入孔１２２を通じて、空気が流入される。
【００８６】
その後、アプリケータ３０の吐出口３２を通じて吐出された内容物を使用した後は、オーバキャップ４０を閉じて保管または携帯するようになる。
【００８７】
図８のように、前記オーバキャップ４０が容器本体１０の上部に結合されると、前記密閉部材５０の密閉部５２には、フレキシブルな材質のアプリケータ３０が、タイトに密着するようにして挿入される。
【００８８】
この際、前記アプリケータ３０の内側に形成された吐出流路３４が収縮して行くことで、アプリケータ３０が、密閉部材４２の密閉部５２の内側にタイトに挿入されるのであり、これとともに、前記密閉部５２が拡張空間５４によって外側に拡張することで、密閉力が、より向上する。
【００８９】
また、図９のように、密閉部材５０の密閉部５２に、密閉突起５２２が形成された場合には、前記密閉突起５２２が、アプリケータ３０の吐出口３２に挿入される。
【００９０】
その後、前記アプリケータ３０を交換しようとする場合、図１０のように指でアプリケータ３０の両側の面を押しながらつかんでから、図１１のように、前記アプリケータ３０を強制的につかんで引き抜くことで、外キャップ８４からアプリケータ３０を分離した後、新たなアプリケータ３０の両側面を押しながらつかみ、このアプリケータ３０を、外キャップ８４のアプリケータ貫通穴８４２に強制的に挿入して行くことで、アプリケータ３０の嵌合凹部３６に、外キャップ８４の嵌合部８４６が挿入されるようにするとともに、アプリケータ３０の下端が、内キャップ８２の着座溝８２３に着座されるようにする。
【００９１】
以上、本発明で説明したことは密閉力が向上したオーバキャップを備えた化粧品容器を実施するための一つの実施例に過ぎず、本発明は前記実施例に限定されるものではない。添付の請求の範囲で請求するように本発明の要旨を逸脱せずに当該発明が属する分野で通常の知識を有する者であれば誰でも多様な変更実施が可能な範囲まで本発明の範囲に属するものとみなさなければならない。
【符号の説明】
【００９２】
１０  容器本体
１２  外容器
１４  内容器
２０  排出手段
３０  アプリケータ
３２  吐出口
３４  吐出流路
４０  オーバキャップ
５０  密閉部材
５２  密閉部
５４  拡張空間
６０  排出手段フレーム
７０  押圧ボタン
７８  第１斜線押圧部
８０  上部キャップ
８２  内キャップ
８４  外キャップ
２８２  第２斜線押圧部
【図１】
2020524036.tif 000003
【図２】
2020524036.tif 000004
【図３】
2020524036.tif 000005
【図４】
2020524036.tif 000006
【図５】
2020524036.tif 000007
【図６】
2020524036.tif 000008
【図７】
2020524036.tif 000009
【図８】
2020524036.tif 000010
【図９】
2020524036.tif 000011
【図１０】
2020524036.tif 000012
【図１１】
2020524036.tif 000013
【国際調査報告】
2020524036.tif 000014
2020524036.tif 000015
2020524036.tif 000016
2020524036.tif 000017